(57)【要約】【目的】利用者が飲料を選択するときにカップを載置する位置に戸惑う煩雑さを回避することが可能な飲料ディスペンサに備える液体供給ポンプを提供することを目的とする。【構成】ＢＩＢ１０を冷蔵庫９に収容してチューブ１１をピンチ２５に取り付け、チューブガイド２４とローラ２３との間に挟んで配設する。利用者により飲料選択ボタン４ａが押されると、対応しているピンチ２５がチューブ１１の押圧を解除し、同時にロータ２２を一定方向に回転させ、ローラ２３がチューブ１１をチューブガイド２４の内周壁に押圧して移動しながら扱くので、押された飲料選択ボタン４ａに対応している飲料原料がチューブ１１の吐出口１１ａからカップＣに吐出され、同時に冷水回路の希釈水が希釈水ノズル２６からカップレスト５に載置されているカップＣに供給される。【選択図】        図２
2009121347.tif 000002
【特許請求の範囲】
【請求項１】
円周方向に等間隔に配設されて回動自在に保持された複数のローラを有するローラ保持部と、前記ローラ保持部の回転軸と同軸に設けられた内周壁を有するチューブガイドとを備え、前記ローラと前記内周壁との間に液体が充填されている柔軟性のある樹脂製のチューブを配設し、前記ローラ保持部を一定方向に回転させることによって前記複数のローラが順次前記チューブを前記内周壁に押圧して移動しながら扱くことで液体を定量吐出させる液体供給ポンプにおいて、
前記チューブは、一端が液体を充填した液体ケースに連通されるとともに他端に吐出口が形成され、当該液体ケースから液体を搬送するチューブであり、
前記複数のローラおよび前記チューブガイドに設けた内周壁の横幅を前記チューブを複数並べて押圧して扱くことが可能な寸法として、
前記ローラと前記内周壁との間に複数の前記チューブを配設して前記ローラ保持部を一定方向に回転させることによって前記複数のローラが順次複数の前記チューブを前記内周壁に押圧して移動しながら扱き、前記液体ケースに充填されている液体を前記チューブの吐出口から定量吐出させることを特徴とする液体供給ポンプ。
【請求項２】
前記ローラと前記内周壁との間に配設した複数の前記チューブ其々の上流側にはバルブを備え、複数の前記液体ケースの何れかに充填されている所望の液体を吐出するときには当該所望する液体が充填されている液体ケースに連通している当該チューブに備えられている前記バルブを開放して前記ローラ保持部を一定方向に回転させることによって前記複数のローラが順次当該チューブを前記内周壁に押圧して移動しながら扱き、所望の液体を当該チューブの吐出口から定量吐出させることを特徴とする請求項１に記載の液体供給ポンプ。
【請求項３】
円周方向に等間隔に配設されて回動自在に保持された複数のローラを有するローラ保持部と、前記ローラ保持部の回転軸と同軸に設けられた内周壁を有するチューブガイドとを備え、前記ローラと前記内周壁との間に液体が充填されている柔軟性のある樹脂製のチューブを配設し、前記ローラ保持部を一定方向に回転させることによって前記複数のローラが順次前記チューブを前記内周壁に押圧して移動しながら扱くことで液体を定量吐出させる液体供給ポンプにおいて、
前記チューブは、一端が液体を充填した液体ケースに連通されるとともに他端に吐出口が形成され、当該液体ケースから液体を搬送するチューブであり、
前記ローラ保持部は同軸上に複数並列されて其々が個別に一定方向に回転可能に備えられ、前記チューブガイドに設けた内周壁の横幅は当該複数設けられたローラ保持部のローラで押圧されて扱かれるチューブに対応した寸法として、
前記ローラと前記内周壁との間に複数の前記チューブを配設し、複数の前記液体ケースの何れかに充填されている所望の液体を吐出するときには当該所望する液体が充填されている液体ケースに連通している当該チューブを押圧している前記ローラ保持部を一定方向に回転させることによって前記複数のローラが順次当該所望の液体が充填されている当該チューブを前記内周壁に押圧して移動しながら扱き、当該所望の液体を当該チューブの吐出口から定量吐出させることを特徴とする液体供給ポンプ。
【請求項４】
円周方向に等間隔に配設されて回動自在に保持された複数のローラを有するローラ保持部と、前記ローラ保持部の回転軸と同軸に設けられた内周壁を有するチューブガイドとを備え、前記ローラと前記内周壁との間に液体が充填されている柔軟性のある樹脂製のチューブを配設し、前記ローラ保持部を一定方向に回転させることによって前記複数のローラが順次前記チューブを前記内周壁に押圧して移動しながら扱くことで液体を定量吐出させる液体供給ポンプにおいて、
前記チューブは、一端が液体を充填した液体ケースに連通されるとともに他端に吐出口が形成され、当該液体ケースから液体を搬送するチューブであり、
前記複数のローラの横幅は前記チューブを複数並べて押圧して扱くことが可能な寸法とし、前記チューブガイドは前記複数のローラと協働して前記チューブを押圧して扱く扱き位置と、当該扱き位置から離間してチューブの押圧を解除する開放位置との間を移動されることが可能として複数備えられ、
複数の前記液体ケースの何れかに充填されている所望の液体を吐出するときには当該所望する液体が充填されている液体ケースに連通している当該チューブを押圧している当該チューブガイドを前記複数のローラと協働して当該チューブを押圧して扱く扱き位置に移動させて前記ローラ保持部を一定方向に回転させることによって前記複数のローラが順次当該所望の液体が充填されている当該チューブを当該内周壁に押圧して移動しながら扱き、当該所望の液体を当該チューブの吐出口から定量吐出させることを特徴とする液体供給ポンプ。
【発明の詳細な説明】
【技術分野】
【０００１】
本発明は、液体が充填されている液体ケースから引き出されたチューブを介して液体を定量送出させる液体供給ポンプに関するものである。
【背景技術】
【０００２】
従来から、飲料ディスペンサはウーロン茶、ジュースなどの飲料原料（液体）が充填されているＢＩＢ（液体ケース）を複数冷蔵庫に収容し、利用者の選択に応じた飲料原料が充填されているＢＩＢに対応させて設けている液体供給ポンプ（以下「チューブ式ポンプ」という）を駆動させて飲料原料をカップに供給し、冷水回路から供給された希釈水とカップ内で混合させて飲料を調整している。ＢＩＢは柔軟性のある樹脂製シートで作られた飲料原料入りの袋を箱形ケースに収納したもので、この袋には柔軟性のある樹脂製のチューブの一端が連通され、当該チューブの他端には飲料原料の吐出口が形成されていて、ＢＩＢに充填されている飲料原料はチューブ式ポンプが一定方向に回転駆動されると送出されてチューブの吐出口からカップに吐出される。チューブ式ポンプは、円周方向に等間隔に配設されて回動自在に保持された複数のローラを有するロータと、ロータの回転軸と同軸に設けられた内周壁を有するチューブガイドとを備えていて、ローラと内周壁との間に飲料原料が充填されている柔軟性のある樹脂製のチューブを配設してロータを一定方向に回転させることによって複数のローラが順次チューブを内周壁に押圧して移動しながら扱くことでチューブの吐出口からＢＩＢに充填されている飲料原料を定量吐出させてカップに供給する（例えば、特許文献１参照）。
【０００３】
図４は、従来のチューブ式ポンプを備えた飲料ディスペンサの外観図である。図４に示すように、飲料ディスペンサ１００は、前面に開口を有するディスペンサ本体２と、ディスペンサ本体２の前面開口を開閉可能にする態様で当該ディスペンサ本体２の前面の一側に支承された前扉３とを有し、前扉３の表面には、飲料選択ボタン４ａを備えた操作パネル４が配設してある。また、前扉３の内側下方には、シロップタンクに充填されているシロップ飲料を供給する飲料ノズルやＢＩＢに充填されている飲料原料を供給するチューブ式ポンプが配設され、その下方には飲料容器であるカップの置き台になるカップレスト１０５と、カップレスト１０５にカップを載置する際のカップ位置決めとしてのカップガイド６と、飛び散った飲料等を集めるドリップトレイ７とが設けられ、高さ調整可能なレベリング調整脚８を備えている。
図５は、飲料ディスペンサ１００の前扉３を開けてディスペンサ本体２の前面を示す図である。ディスペンサ本体２は、冷蔵庫９に収容されているＢＩＢ（Ｂａｇ  Ｉｎ  Ｂｏｘ）１０に充填されている濃縮された飲料原料を定量送出するチューブ式ポンプ１１０と、図示しない炭酸ガスボンベから供給される炭酸ガスの圧力でシロップタンクから圧送されたシロップ飲料を通流させる複数のシロップ管路３１、およびその管路途中に設けたシロップ電磁弁３２、飲料水を冷やした希釈水を通流させる希釈水管路３３、その管路途中に設けた希釈水電磁弁３４、飲料水に炭酸ガスボンベから供給される炭酸ガスを溶解させた炭酸水を貯留しているカーボネータから供給された炭酸水を通流させる炭酸水管路３５、その管路途中に設けた炭酸水電磁弁３６とが備えられ、これらのシロップ管路３１や希釈水管路３３、炭酸水管路３５の終端部は飲料ノズル４０に接続されている。そして、操作パネル４のＢＩＢ１０に充填されている飲料原料を選択する飲料選択ボタン４ａが押されると、押された飲料選択ボタン４ａに対応しているチューブ式ポンプ１１０が一定方向に回転駆動されてＢＩＢ１０に充填されている飲料原料がチューブ１１の吐出口から吐出され、同時に冷水回路の水ポンプを始動し、かつ冷水弁を開いて、冷水回路の希釈水を希釈水ノズル１１１からカップレスト１０５のカップガイド６に合わせて載置してあるカップＣに供給される。
【特許文献１】特開平６−４８４８９号公報
【発明の開示】
【発明が解決しようとする課題】
【０００４】
しかしながら、一台の飲料ディスペンサ１００には複数のＢＩＢ１０其々に対応させて複数のチューブ式ポンプ１１０が設けられていることから、利用者が飲料選択ボタン４ａを押して所望の飲料を選択するときに選択した飲料が何れのチューブ式ポンプ１１０に配設されているチューブ１１の吐出口から吐出されるかを判断する必要があり、カップＣをカップトレイ１０５に載置する際に何れのカップガイド６にあわせて載置すればよいか戸惑う煩雑さがあった。
本発明は、上記実情に鑑みて、利用者が飲料を選択するときにカップを載置する位置に戸惑う煩雑さを回避することが可能な飲料ディスペンサに備える液体供給ポンプを提供することを目的とする。
【課題を解決するための手段】
【０００５】
上記目的を達成するため、本発明の請求項１に係る液体供給ポンプは、円周方向に等間隔に配設されて回動自在に保持された複数のローラを有するローラ保持部と、前記ローラ保持部の回転軸と同軸に設けられた内周壁を有するチューブガイドとを備え、前記ローラと前記内周壁との間に液体が充填されている柔軟性のある樹脂製のチューブを配設し、前記ローラ保持部を一定方向に回転させることによって前記複数のローラが順次前記チューブを前記内周壁に押圧して移動しながら扱くことで液体を定量吐出させる液体供給ポンプにおいて、
前記チューブは、一端が液体を充填した液体ケースに連通されるとともに他端に吐出口が形成され、当該液体ケースから液体を搬送するチューブであり、
前記複数のローラおよび前記チューブガイドに設けた内周壁の横幅を前記チューブを複数並べて押圧して扱くことが可能な寸法として、
前記ローラと前記内周壁との間に複数の前記チューブを配設して前記ローラ保持部を一定方向に回転させることによって前記複数のローラが順次複数の前記チューブを前記内周壁に押圧して移動しながら扱き、前記液体ケースに充填されている液体を前記チューブの吐出口から定量吐出させることを特徴とする。
【０００６】
また、本発明の請求項２に係る液体供給ポンプは、上述した請求項１において、前記ローラと前記内周壁との間に配設した複数の前記チューブ其々の上流側にはバルブを備え、複数の前記液体ケースの何れかに充填されている所望の液体を吐出するときには当該所望する液体が充填されている液体ケースに連通している当該チューブに備えられている前記バルブを開放して前記ローラ保持部を一定方向に回転させることによって前記複数のローラが順次当該チューブを前記内周壁に押圧して移動しながら扱き、所望の液体を当該チューブの吐出口から定量吐出させることを特徴とする。
また、本発明の請求項３に係る液体供給ポンプは、円周方向に等間隔に配設されて回動自在に保持された複数のローラを有するローラ保持部と、前記ローラ保持部の回転軸と同軸に設けられた内周壁を有するチューブガイドとを備え、前記ローラと前記内周壁との間に液体が充填されている柔軟性のある樹脂製のチューブを配設し、前記ローラ保持部を一定方向に回転させることによって前記複数のローラが順次前記チューブを前記内周壁に押圧して移動しながら扱くことで液体を定量吐出させる液体供給ポンプにおいて、
前記チューブは、一端が液体を充填した液体ケースに連通されるとともに他端に吐出口が形成され、当該液体ケースから液体を搬送するチューブであり、
前記ローラ保持部は同軸上に複数並列されて其々が個別に一定方向に回転可能に備えられ、前記チューブガイドに設けた内周壁の横幅は当該複数設けられたローラ保持部のローラで押圧されて扱かれるチューブに対応した寸法として、
前記ローラと前記内周壁との間に複数の前記チューブを配設し、複数の前記液体ケースの何れかに充填されている所望の液体を吐出するときには当該所望する液体が充填されている液体ケースに連通している当該チューブを押圧している前記ローラ保持部を一定方向に回転させることによって前記複数のローラが順次当該所望の液体が充填されている当該チューブを前記内周壁に押圧して移動しながら扱き、当該所望の液体を当該チューブの吐出口から定量吐出させることを特徴とする。
【０００７】
また、本発明の請求項４に係る液体供給ポンプは、円周方向に等間隔に配設されて回動自在に保持された複数のローラを有するローラ保持部と、前記ローラ保持部の回転軸と同軸に設けられた内周壁を有するチューブガイドとを備え、前記ローラと前記内周壁との間に液体が充填されている柔軟性のある樹脂製のチューブを配設し、前記ローラ保持部を一定方向に回転させることによって前記複数のローラが順次前記チューブを前記内周壁に押圧して移動しながら扱くことで液体を定量吐出させる液体供給ポンプにおいて、
前記チューブは、一端が液体を充填した液体ケースに連通されるとともに他端に吐出口が形成され、当該液体ケースから液体を搬送するチューブであり、
前記複数のローラの横幅は前記チューブを複数並べて押圧して扱くことが可能な寸法とし、前記チューブガイドは前記複数のローラと協働して前記チューブを押圧して扱く扱き位置と、当該扱き位置から離間してチューブの押圧を解除する開放位置との間を移動されることが可能として複数備えられ、
複数の前記液体ケースの何れかに充填されている所望の液体を吐出するときには当該所望する液体が充填されている液体ケースに連通している当該チューブを押圧している当該チューブガイドを前記複数のローラと協働して当該チューブを押圧して扱く扱き位置に移動させて前記ローラ保持部を一定方向に回転させることによって前記複数のローラが順次当該所望の液体が充填されている当該チューブを当該内周壁に押圧して移動しながら扱き、当該所望の液体を当該チューブの吐出口から定量吐出させることを特徴とする。
【発明の効果】
【０００８】
本発明によれば、複数のＢＩＢに連通しているチューブの吐出口が１個のカップガイドに位置決めされてカップレストに載置されるカップに対応するので、利用者が飲料を選択するときにカップを載置する位置に戸惑う煩雑さを回避することが可能な飲料ディスペンサに備える液体供給ポンプを提供することが可能になる。
【発明を実施するための最良の形態】
【０００９】
以下に添付図面を参照して、本発明に係る液体供給ポンプの好適な実施の形態について詳細に説明する。なお、従来と同一構成に関しては同一符号を用いる。また、この実施の形態によりこの発明が限定されるものではない。
図１は本発明の実施の形態である液体供給ポンプを備えた飲料ディスペンサの外観図である。図１に示すように、飲料ディスペンサ１は、前面に開口を有するディスペンサ本体２と、ディスペンサ本体２の前面開口を開閉可能にする態様で当該ディスペンサ本体２の前面の一側に支承された前扉３とを有し、前扉３の表面には、飲料選択ボタン４ａを備えた操作パネル４が配設してある。また、前扉３の内側下方には、シロップ飲料を供給する飲料ノズルや飲料原料を供給するチューブ式ポンプ（液体供給ポンプ）が配設され、その下方には飲料容器であるカップＣの置き台になるカップレスト５と、カップレスト５にカップＣを載置する際のカップ位置決めとしてのカップガイド６と、飛び散った飲料等を集めるドリップトレイ７とが設けられ、高さ調整可能なレベリング調整脚８を備えている。
図２は、飲料ディスペンサ１の前扉３を開けてディスペンサ本体２の前面を示す図である。ディスペンサ本体２は、冷蔵庫９に収容されているＢＩＢ１０に充填されている飲料原料を定量扱いてチューブ１１の吐出口１１ａ（図３参照）からカップＣに吐出するチューブ式ポンプ２０、図示しない炭酸ガスボンベから供給される炭酸ガスの圧力でシロップタンクから圧送されたシロップ飲料を通流させる複数のシロップ管路３１、およびその管路途中に設けたシロップ電磁弁３２、飲料水を冷やした希釈水を通流させる希釈水管路３３、その管路途中に設けた希釈水電磁弁３４、飲料水に炭酸ガスボンベから供給される炭酸ガスを溶解させた炭酸水を貯留しているカーボネータから供給された炭酸水を通流させる炭酸水管路３５、その管路途中に設けた炭酸水電磁弁３６が備えられ、これらのシロップ管路３１や希釈水管路３３、炭酸水管路３５の終端部は飲料ノズル４０に接続されている。そして、利用者により操作パネル４の飲料選択ボタン４ａが押されると、チューブ式ポンプ２０が駆動されてＢＩＢ１０に充填されている飲料原料がチューブ１１の吐出口１１ａから吐出され、同時に冷水回路の水ポンプを始動し、かつ冷水弁を開いて、冷水回路の希釈水を希釈水ノズル２６からカップレスト５に載置されたカップＣに供給する。または、シロップ電磁弁３２と希釈水電磁弁３４または炭酸水電磁弁３６が開放されると、飲料ノズル４０からシロップと希釈水または炭酸水が供給されてカップレスト５に載置されたカップＣに流下する。
【００１０】
図３は冷蔵庫９に収容しているＢＩＢ１０に接続しているチューブ１１を配設したチューブ式ポンプ２０の正面図である。チューブ式ポンプ２０は、円周方向に等間隔に配設されて回動自在に保持された複数のローラ２３を有するロータ（ローラ保持部）２２と、ロータ２２の回転軸と同軸に設けられた円弧面の内周壁を有するチューブガイド２４と、をポンプ本体２１に取り付け、ローラ２３およびチューブガイド２４の内周壁の横幅はチューブ１１を２本並べて押圧して扱くことが可能な寸法としている。また、ロータ２２のローラ２３とチューブガイド２４の内周壁との間に配設した２本のチューブ１１の上流側には常時はチューブ１１を押圧して飲料原料の流下を停止しておき、開放信号を受けると押圧を解除して飲料原料の流下を許可するピンチ（バルブ）２５をチューブ１１の其々に備えている。また、チューブ式ポンプ２０に配設したチューブ１１の吐出口１１ａに近接させて設けた希釈水ノズル２６に冷水回路（図示せず）が接続され、この冷水回路には水ポンプと冷水弁が接続されている。さらに、冷蔵庫９の底板にはチューブ１１を通す切欠部が設けられ、チューブ１１を通した切欠部はＢＩＢチューブガイド１２で閉塞される。このチューブ式ポンプ２０に配設したチューブ１１の吐出口１１ａと希釈水ノズル２６の下方にはカップＣがカップガイド６に位置決めされてカップレスト５に載置される（図２参照）。
【００１１】
そして、ＢＩＢ１０を冷蔵庫９に収容してチューブ１１をＢＩＢチューブガイド１２で閉塞してピンチ２５に取り付け、チューブガイド２４の内周壁とロータ２２のローラ２３との間に挟んで配設する。利用者により操作パネル４の飲料選択ボタン４ａが押されると、押された飲料選択ボタン４ａに対応しているピンチ２５がチューブ１１の押圧を解除し、同時にロータ２２を一定方向に回転させると、ローラ２３がチューブ１１をチューブガイド２４の内周壁に押圧して偏平に変形させて移動しながら扱くので、押された飲料選択ボタン４ａに対応しているＢＩＢ１０に充填されている飲料原料がチューブ１１の吐出口１１ａからカップＣに吐出される。同時に冷水回路の水ポンプを始動し、かつ冷水弁を開いて、冷水回路の希釈水を希釈水ノズル２６からカップレスト５に載置されているカップＣに供給して飲料原料と希釈水とからなる飲料が調整されて利用者に提供される。
このように、複数のＢＩＢ１０に連通しているチューブ１１の吐出口１１ａが１個のカップガイド６に位置決めされてカップレスト５に載置されるカップＣに対応するので、利用者が飲料を選択するときにカップＣを載置する位置に戸惑う煩雑さを回避することが可能な飲料ディスペンサ１に備えるチューブ式ポンプ２０を提供することが可能になる。
尚、ロータ２２を同軸上に複数並列させて其々が個別に一定方向に回転可能に備え、チューブガイド２４に設けた内周壁の横幅を当該複数設けたロータ２２で押圧して扱くチューブ１１に対応させた寸法とし、ロータ２２のローラ２３とチューブガイド２４の内周壁との間に複数のチューブ１１を配設し、利用者により操作パネル４の飲料選択ボタン４ａが押されると、押された飲料選択ボタン４ａに対応しているロータ２２を一定方向に回転させることによって、押された飲料選択ボタン４ａに対応しているＢＩＢ１０に充填されている飲料原料をチューブ１１の吐出口１１ａからカップＣに定量吐出するようにしてもよい。
【００１２】
さらに、ロータ２２のローラ２３の横幅をチューブ１１を複数並べて押圧して扱くことが可能な寸法とし、チューブガイド２４をローラ２３と協働してチューブ１１を押圧して扱く扱き位置と、扱き位置から離間してチューブ１１の押圧を解除する開放位置との間を移動されることが可能にして複数備え、ロータ２２のローラ２３とチューブガイド２４の内周壁との間に複数のチューブ１１を配設し、利用者により操作パネル４の飲料選択ボタン４ａが押されると、押された飲料選択ボタン４ａに対応しているチューブ１１を押圧しているチューブガイド２４をローラ２３と協働してチューブ１１を押圧して扱く扱き位置に移動させてロータ２２を一定方向に回転させることによって、押された飲料選択ボタン４ａに対応しているＢＩＢ１０に充填されている飲料原料をチューブ１１の吐出口１１ａからカップＣに定量吐出するようにしてもよい。
【図面の簡単な説明】
【００１３】
【図１】本発明の実施の形態である液体供給ポンプを備えた飲料ディスペンサの外観図である。
【図２】図１に示した飲料ディスペンサの前扉を開けてディスペンサ本体の前面を示す図である。
【図３】本発明の実施の形態である液体供給ポンプの正面図である。
【図４】従来の液体供給ポンプを備えた飲料ディスペンサの外観図である。
【図５】図４に示した飲料ディスペンサの前扉を開けてディスペンサ本体の前面を示す図である。
【符号の説明】
【００１４】
１      飲料ディスペンサ
２      ディスペンサ本体
３      前扉
４      操作パネル
５      カップレスト
６      カップガイド
９      冷蔵庫
１０      ＢＩＢ
１１      チューブ
１１ａ    吐出口
２０      チューブ式ポンプ（液体供給ポンプ）
２２      ロータ（ローラ保持部）
２３      ローラ
２４      チューブガイド
２５      ピンチ（バルブ）
２６      希釈水ノズル
Ｃ      カップ
【図１】
2009121347.tif 000003
【図２】
2009121347.tif 000004
【図３】
2009121347.tif 000005
【図４】
2009121347.tif 000006
【図５】
2009121347.tif 000007